(57)【要約】【課題】ノズル孔から噴射される高圧洗浄水やノズル子により排水管を傷つけることがなく、頑固に固形化した排水管壁付着油脂分をも除去できる排水管洗浄装置を提供する。【解決手段】高圧洗浄ホースの先端に先端部分が円柱状で後端部分が円錐状の略独楽状を呈するノズル子が固着され、さらに該ノズル子の先端に複数個の略円柱状のガイド子が連結されて、該高圧洗浄ホースから送られた洗浄水を該ノズル子の中心軸線に沿って穿設された有底の通水孔に連通する複数のノズル孔から略斜め後方に噴射させる排水管洗浄装置において、前記ノズル孔は後正面から見て略同一円周上に略等間隔に配置され、前記ノズル孔の前方には被洗浄排水管を横断するように弾性体で形成された仕切板が取着され、該仕切板は該ノズル子の中心から放射方向に突出して該被洗浄排水管に内接または近接する３つ以上の突出部を具える構成した。【選択図】図１
2013256853.tif 000002
【特許請求の範囲】
【請求項１】
高圧洗浄ホースの先端に先端部分が円柱状で後端部分が円錐状の略独楽形状のノズル子が固着され、さらに該ノズル子の先端に複数個の略円柱状のガイド子が連結されて、該高圧洗浄ホースから送られた洗浄水を該ノズル子の中心軸線に沿って穿設された有底の通水孔に連通する複数のノズル孔から略斜め後方に噴射させる排水管洗浄装置において、
前記ノズル孔は後正面から見て略同一円周上に略等間隔に配置され、
前記ノズル孔の前方には被洗浄排水管を横断するように弾性体で形成された仕切板が取着され、該仕切板は該ノズル子の中心から放射方向に突出して該被洗浄排水管に内接または近接する３つ以上の突出部を具え、該仕切板により該被洗浄排水管内壁面との間に仕切間隙が形成される、ことを特徴とする排水管洗浄装置。
【請求項２】
前記仕切板は前記ノズル子および前記ガイド子の間に着脱可能に取着されている、ことを特徴とする請求項１に記載の排水管洗浄装置。
【請求項３】
前記突出部のそれぞれの先端と前記ノズル子の中心との距離は略同一である、ことを特徴とする請求項１または請求項２に記載の排水管洗浄装置。
【請求項４】
前記仕切板の面積は前記被洗浄排水管の断面積の２０％ないし８０％である、ことを特徴とする請求項１ないし請求項３のいずれかに記載の排水管洗浄装置。
【発明の詳細な説明】
【技術分野】
【０００１】
本発明は、集合住宅建築物や事務所建築物等に配設された排水管内を洗浄する排水管洗浄装置に関する。
【背景技術】
【０００２】
従来、集合住宅建築物や事務所建築物等に配設された排水管内を洗浄する排水管の洗浄装置は、排水管内を満遍なく洗浄するために、高圧洗浄ホースを回転させ、その先端に固着したノズル子を旋回させながらノズル孔から超高圧洗浄水を噴射させる装置が主流である。
【０００３】
このような排水管洗浄装置としては、たとえば、特開２００１−１７０５９１号公報に開示の「排水管洗浄方法及び装置」や本願出願人に係る特開２００７-５４７３８号公報に開示の「配管内壁洗浄用高圧洗浄装置」がある。前者は、「横管内でも管内周面に沿ってノズルを旋回させることができる排水管洗浄方法及び装置を提供する」ことを目的とし、その解決手段として「ノズルに形成される複数の噴射孔の形成位置および各噴射孔から噴射される高圧水の噴射水量を調整することにより、前記複数の噴射孔のうち、特定の噴射孔のみが常時管内周面と対向するように設定」する構成としている。そして、後者は「本発明は、配管内のノズル付き洗浄用ホースが、作業員のスイッチ切換え操作により的確に所望の回転速度で旋回したり往復回転したりできるようにして、洗浄作業を能率よく且つ安全に行えるようにした配管内壁洗浄用高圧洗浄装置を提供すること」を課題としていて、その解決手段として「枠体に支持された円筒状ドラムにおいて、同ドラムの内周壁に沿い中間部を巻付けられた高圧ホースが、その基端に高圧水源への接続部を有するとともに、その先端には配管の内壁を清掃するためのノズル付きノズル部材を装着されている。そして、枠体の上部のスイッチボックスには、主スイッチのほか、ドラムの正逆回転切換スイッチ、タイマー付き切換スイッチ、モーター回転速度制御レバー、緊急時に使用される押下げ遮断型操作部材が設けられて、使い勝手の向上が図られる」構成としている。
【０００４】
しかし、特開２００１−１７０５９１号公報に開示の発明に代表される排水管の洗浄装置では、排水管内でノズル子を旋回させるため、排水管にノズル子が衝突を繰り返すことにより、排水管を傷つけ孔を開けてしまうばかりでなく、排水管が細管の場合には、高圧洗浄ホースが捩れて、場合によっては捩切れることもあった。そのため、本願出願人は「ノズル孔から噴射される高圧洗浄水により排水管を傷つけることがなく、また、ノズル子により排水管を傷つけることのない排水管洗浄装置」を発明し、その内容は特開２００９−２７３９９８号公報に開示されている。
【０００５】
特開２００９−２７３９９８号公報に開示の発明は、その解決手段として、「複数のノズル孔が穿設されるノズル子を後正面から見たときに、該ノズル子の中心点を通る水平線よりも上部には３つ以上のノズル孔を同一同心円上、かつノズル子の中心点を通る垂直線に対し線対称の位置に配置するとともに、ノズル子の中心点を通る水平線よりも下部にはこの水平線に対してノズル孔を対称の位置に配置し、水平線下部に配置したノズル孔の内垂直線に最も近くに位置するノズル孔以外のノズル孔、または垂直線に最も近く位置するノズル孔を他のノズル孔よりも細径とし、各ノズル孔の形状を外部に向かって拡径する円錐状とし」ていて、この構成により、ノズル子は排水管内で自立するためノズル子を旋回させること無く洗浄することが可能になった。
【先行技術文献】
【特許文献】
【０００６】
【特許文献１】特開２００１−１７０５９１号公報
【特許文献２】特開２００７-５４７３８号公報
【特許文献３】特開２００９−２７３９９８号公報
【発明の開示】
【発明が解決しようとする課題】
【０００７】
ところで、特開２００９−２７３９９８号公報に開示の発明では、それぞれのノズル孔から噴射される高圧洗浄水により排水管内壁に付着する油脂分（以下、「排水管壁付着油脂分」という。）を除去するようにしているが、高圧洗浄水の届かない部分が筋状に残ることを防ぐため、ノズル孔を円錐状に拡径するようにして高圧洗浄水を拡散させるようにしている。このため、排水管壁付着油脂分が十分に除去することができない場合があった。
【０００８】
そこで、本願発明は、ノズル孔から噴射される高圧洗浄水やノズル子により排水管を傷つけることがなく、頑固に固形化した排水管壁付着油脂分をも除去できる排水管洗浄装置を提供することを目的とする。
【課題を解決するための手段】
【０００９】
上記目的を達成するため、請求項１に係る排水管洗浄装置は、高圧洗浄ホースの先端に先端部分が円柱状で後端部分が円錐状の略独楽形状のノズル子が固着され、さらに該ノズル子の先端に複数個の略円柱状のガイド子が連結されて、該高圧洗浄ホースから送られた洗浄水を該ノズル子の中心軸線に沿って穿設された有底の通水孔に連通する複数のノズル孔から略斜め後方に噴射させる排水管洗浄装置において、前記ノズル孔は後正面から見て略同一円周上に略等間隔に配置され、前記ノズル孔の前方には被洗浄排水管を横断するように弾性体で形成された仕切板が取着され、該仕切板は該ノズル子の中心から放射方向に突出して該被洗浄排水管に内接または近接する３つ以上の突出部を具え、該仕切板により該被洗浄排水管内壁面との間に仕切間隙が形成される、ことを特徴としている。なお、「ノズル子の先後」とは、ガイド子が連結される方向が「先」であり高圧洗浄ホースに固着される方向が「後」であり、「被洗浄排水管に内接」とは点接触のみならず面接触も含む概念である。
また、請求項２に係る排水管洗浄装置は、請求項１に記載の排水管洗浄装置であって、前記仕切板は前記ノズル子および前記ガイド子の間に着脱可能に取着されている、ことを特徴としている。
そして、請求項３に係る排水管洗浄装置は、請求項１または請求項２記載の排水管洗浄装置であって、前記突出部のそれぞれの先端と前記ノズル子の中心との距離は略同一である、ことを特徴としている。
さらに、請求項４に係る排水管洗浄装置は、請求項１ないし請求項３のいずれかに記載の排水管洗浄装置であって、前記仕切板の面積は前記被洗浄排水管の面積の２０％ないし８０％である、ことを特徴としている。
【発明の効果】
【００１０】
本願発明は、上記構成により以下の効果を奏する。
（１）ノズル孔から略斜め後方に噴射する高圧洗浄水により被洗浄排水管内部にはノズル孔の前方から後方に向かう流速の速い気体流や液体流が生ずる。そして、ノズル孔の前方の仕切板が形成する仕切間隙により、被洗浄排水管内が狭まってさらに速い流速となり、気体流や液体流内の静圧が低下して負圧となる。この負圧が気体流におけるベルヌーイ効果や液体流におけるキャビテーションを発生させ排水管壁付着油脂分を除去することとなる。なお、排水管壁付着油脂分を除去するような速い流速は、仕切板の面積を被洗浄排水管の面積の２０％ないし８０％とすると効果的に発生する。
（２）仕切板はノズル子の中心から放射方向に突出して被洗浄排水管に内接または近接する３つ以上の突出部を具えているので、ノズル子はノズル孔の形状に拘わらず常に被洗浄排水管内の空間に位置することになる。特に突出部のそれぞれの先端とノズル子の中心との距離を略同一とした場合、すなわち、距離を被洗浄排水管の略半径とした場合には、ノズル子は被洗浄排水管の略中心に位置することになるから、洗浄水は満遍なく被洗浄排水管内に行き渡り、斑無く洗浄することができる。そのため、ノズル子を旋回させる必要は全くなく、ノズル子による被洗浄排水管の傷つけがない。
（３）仕切板をノズル子およびガイド子の間の連結部に着脱可能に取着することとした場合には、簡単に被洗浄排水管の径に合わせた仕切板に交換することができる。
【図面の簡単な説明】
【００１１】
【図１】図１は、実施例に係る排水管洗浄装置の先端部分の側面図である。
【図２】図２は、実施例に係る排水管洗浄装置の先端部分の従断面拡大図である。
【図３】図３は、図１におけるIII−III矢視断面図である。
【発明を実施するための形態】
【００１２】
以下、本願発明を実施するための形態に係る実施例について、図１ないし図３に基づいて説明する。なお、図１ないし図３において、符号１は実施例に係る排水管洗浄装置（先端部分）、符号１０はノズル子、符号１１はノズル子本体、符号１３はノズル孔、符号１５は通水孔、符号１７は挿入部、符号１９は先端連結部、符号３０はガイド子、符号３１は連結ピン、符号４０は仕切板、符号４１は突出部、符号４３は仕切間隙、符号５１は圧着ソケット、符号５３は高圧洗浄ホース、符号５５はホース内通水孔、符号５７は被洗浄排水管、である。
【００１３】
まず、排水管洗浄装置１の構成について、図１ないし図３に基づいて説明する。
排水管洗浄装置１は、図示外の高圧ポンプと、この高圧ポンプに連通する高圧洗浄ホース５３と、高圧洗浄ホース５３の先端に固着される１個のノズル子１０と、ノズル子１０の先端に連結される複数個（実施例では４個）のガイド子３０と、ノズル子１０およびガイド子３０との間に介装される略正三角形の仕切板４０と、から構成されている。
【００１４】
ステンレス鋼製のガイド子３０は外観が円柱状を呈していて、それぞれが回動自在に連結ピン３１で連結されている。そして、隣り合う連結ピン３１は互いに直交するように構成されていて、４個のガイド子３０が連結されることにより、全体として上下左右に自在に曲がることができるようになっている。
【００１５】
ステンレス鋼製のノズル子１０は、ノズル子本体１１と、ノズル子本体１１のガイド子３０側（前側）に突設される先端連結部１９と、ノズル子本体１１の高圧洗浄ホース５３側（後側）に突設される挿入部１７と、から構成されている。ノズル子本体１１の外観は、先端部分が略円柱状であって後端部分が高圧洗浄ホース５３に向かって徐々に直径が小さくなる円錐状となっていて、丁度、独楽を横に倒したような形状となっている。そして、ノズル子１０は先端連結部１９を介して連結ピン３１によりガイド子３０とピン接合するとともに、挿入部１７が高圧洗浄ホース５３内に挿入され、さらに挿入部１７を囲繞する高圧洗浄ホース５３の上から圧着ソケット５１により締め付けられてノズル子１０は高圧洗浄ホース５３の先端に固着されている。
【００１６】
ノズル子１０にはその中心軸線に沿って通水孔１５が穿設され、後側は挿入部１７を貫通してホース内通水孔５５に連通し、前側はノズル子本体１１を貫通することなくノズル子本体１１内で止まっていて通水孔１５の閉塞部が形成されている。そして、６つのノズル孔１３がノズル子本体１１の円錐状の外周面から斜め前方に向けて貫設され、その先端は通水孔１５内に開口していて、ノズル孔１３の中心軸線に対するノズル子１０の中心軸線の挟角はいずれも４５°となっている。そして、ノズル孔１３自体は外側すなわちノズル子本体１１の円錐状の外周面に向けて拡径された円錐状となっている。なお、６つのノズル孔１３はノズル子１０の後正面から見て略同一円周上に略等間隔に配置されている。
【００１７】
ノズル子１０とガイド子３０との間に介装される正三角形の仕切板４０は、厚さが３ｍｍの合成ゴム製であって、その中心には貫通孔が穿設されていて、ノズル子１０の先端連結部１９が貫通している。すなわち、連結ピン３１を取り外してノズル子１０およびガイド子３０を分離し、ノズル子１０の先端連結部１９を仕切板４０の貫通孔に貫通させた後、再び連結ピン３１でノズル子１０およびガイド子３０を連結させることで、排水管洗浄装置１に仕切板４０が取着される。
【００１８】
仕切板４０は被洗浄排水管５７の管径よりもやや大きめの正三角形の形状を呈していて、隅角部がそれぞれ突出部４１を形成し、排水管洗浄装置１の先端部を被洗浄排水管５７に挿入することにより、突出部４１が被洗浄排水管５７の内壁面を押圧するように面接触して仕切板４０の３つの辺と被洗浄排水管５７の内壁面とで３つの仕切間隙４３が形成される。
【００１９】
つぎに、排水管洗浄装置１の作用効果について説明する。
図示外の高圧ポンプから高圧の洗浄水を高圧洗浄ホース５３に送水すると、高圧洗浄水はホース内通水孔５５および通水孔１５を通って、ノズル孔１３から円錐状に噴射される。高圧洗浄水はノズル孔１３から斜め後方に噴射するため、この噴射力によってノズル子１０に推進力が発生し、高圧洗浄ホース５３を被洗浄排水管５７内に送り込むようにすると、排水管洗浄装置１の先端は前進しながら被洗浄排水管５７の内壁面に高圧洗浄水を浴びせ続ける。
【００２０】
被洗浄排水管５７が横引き管の場合には、ノズル孔１３から略斜め後方に噴射する高圧洗浄水により被洗浄排水管５７内の気体や液体はノズル子１０の前方から後方に向かう気体流や液体流となる。そして、ノズル孔１３の前方の仕切板４０が形成する仕切間隙４３により、気体流や液体流の通路が狭まって気体流や液体流の速度は速まり、気体流にあっては、いわゆるベルヌーイ効果により負圧を生じて、排水管壁付着油脂分を剥離させる。また、液体流にあっては、液体流内が負圧となり、この負圧が飽和蒸気圧以下に低下すると気泡が生じていわゆるキャビテーションが発生する。そして、仕切間隙４３を通過すると液体流内の圧力が回復して気泡は崩壊するが、このとき高い衝撃圧が局所的に発生して、この衝撃圧が排水管壁付着油脂分を剥離させる。
【００２１】
そして、剥離した排水管壁付着油脂分は噴射後の洗浄水とともに管底に接する仕切間隙４３を通って、被洗浄排水管５７外に自然排出される。
【００２２】
なお、被洗浄排水管５７が縦管であっても、被洗浄排水管５７内部にはノズル子１０の前方から後方に向かう気体流や液体流が生じ、仕切間隙４３にはその気体流や液体流を避けるように排水管壁付着油脂分の混ざった噴射後の洗浄水の流れが生ずるが、負圧による排水管壁付着油脂分の剥離効果に変わりはない。
【００２３】
また、気体流や液体流の速度が不足する場合には、高圧の洗浄水とは別に、被洗浄排水管５７内に直に注水して、仕切間隙４３の気体や液体の通り道をさらに狭めると良い結果が得られる。
【００２４】
したがって、本願発明に係る仕切板４０は、
（１）ノズル子１０の中心から放射方向に突出して被洗浄排水管５７に内接する３つ以上の突出部４１を具えているので、ノズル子１０はノズル孔の形状に拘わらず常に被洗浄排水管内の空間に位置することになる。特に突出部４１のそれぞれの先端とノズル子１０の中心との距離を略同一とした場合、すなわち、距離を略被洗浄排水管５７の半径とした場合には、ノズル子１０は被洗浄排水管５７の略中心に位置することになる、
（２）仕切板４０が形成する仕切間隙４３により、被洗浄排水管５７内の気体流や液体流の流速が速められて負圧となってベルヌーイ効果やキャビテーションが発生し洗浄力を増大させる、
（３）仕切板４０を被洗浄排水管５７の内径よりもやや大きめとした場合には、突出部４１が被洗浄排水管５７の内壁を押圧して、仕切板４０をアーチ状として気体流や液体流に対する抵抗力が大きくなる、
という効果を奏することになる。
以上述べた仕切板４０の効果は、実施例に限らず一般的に言えることである。
【符号の説明】
【００２５】
１  実施例に係る排水管洗浄装置（先端部分）
１０  ノズル子
１３  ノズル孔
１５  通水孔
３０  ガイド子
４０  仕切板
４１  突出部
４３  仕切間隙
５７  被洗浄排水管
【図１】
2013256853.tif 000003
【図２】
2013256853.tif 000004
【図３】
2013256853.tif 000005